(57)【要約】【課題】撮影して取得した撮影画像データと、該撮影画像データから生成された補正画像データとの補正処理による差異を容易に認識すべく、夫々の画像データを対応付けて表示する画像表示方法、該画像表示方法を適用した画像表示装置、該画像表示装置を利用することにより、所望する画像データの選択を容易とし、選択された画像データを印刷する画像印刷装置、コンピュータを前記画像表示装置として動作させるためのコンピュータプログラム、及び該コンピュータプログラムを記録した記録媒体を提供する。【解決手段】撮影画像データ４０に対して、ユーザにより選択された色み情報に基づき生成された第１補正画像データ４１，４２を、撮影画像データ４０の上下位置に、色み情報の増減に対応して表示し、明るさ情報に基づき生成された第２補正画像データ４３，４４，４５，４６，４７，４８を、夫々補正処理前の各画像データの左右位置に、明るさ情報の増減に対応して表示する。【選択図】　　　　図６
2004080549.tif 000002
【特許請求の範囲】
【請求項１】
撮影された撮影画像データを補正すべく、補正パラメータを受付手段により受け付け、受け付けた補正パラメータに基づき、補正手段により前記撮影画像データを補正し、該補正手段により生成された補正画像データ及び前記撮影画像データ夫々が示す画像を表示手段により表示する画像表示方法において、
前記受付手段により複数の補正パラメータのうちの第１補正パラメータ及び第２補正パラメータを受け付け、
前記補正手段により、前記撮影画像データに含まれる前記第１補正パラメータが有する値から所定の第１補正値を増減させて複数の第１補正画像データを生成し、前記撮影画像データ、及び生成された第１補正画像データ夫々に含まれる前記第２補正パラメータが有する値から所定の第２補正値を増減させて複数の第２補正画像データを生成し、
前記撮影画像データ，第１補正画像データ及び第２補正画像データ夫々が示す画像を、前記表示手段により表示することを特徴とする画像表示方法。
【請求項２】
撮影された撮影画像データを補正すべく受け付けた補正パラメータに基づき、前記撮影画像データを補正し、生成された補正画像データ及び前記撮影画像データ夫々が示す画像を表示する画像表示装置において、
複数の補正パラメータのうちの第１補正パラメータ及び第２補正パラメータを受け付けるパラメータ受付手段と、
前記撮影画像データに含まれる、該パラメータ受付手段が受け付けた第１補正パラメータが有する値から、所定の第１補正値を増減させて複数の第１補正画像データを生成する第１補正手段と、
前記撮影画像データ、及び該第１補正手段が生成した第１補正画像データ夫々に含まれる、前記パラメータ受付手段が受け付けた第２補正パラメータが有する値から、所定の第２補正値を増減させて複数の第２補正画像データを生成する第２補正手段と、
前記撮影画像データ，前記第１補正手段が生成した第１補正画像データ及び前記第２補正手段が生成した第２補正画像データ夫々が示す画像を表示する表示手段とを備えることを特徴とする画像表示装置。
【請求項３】
前記第１補正手段は、前記撮影画像データに含まれる第１補正パラメータが有する値から、前記第１補正値を所定回数だけ増減させて前記第１補正画像データを生成すべくなしており、
前記第２補正手段は、前記撮影画像データ，及び該第１補正手段が生成した第１補正画像データ夫々に含まれる第２補正パラメータが有する値から、前記第２補正値を所定回数だけ増減させて前記第２補正画像データを生成すべくなしてあることを特徴とする請求項２に記載の画像表示装置。
【請求項４】
前記第１補正値及び第２補正値を夫々受け付ける補正値受付手段を備え、
前記第１補正手段は、前記撮影画像データに含まれる前記第１補正パラメータが有する値から、前記補正値受付手段が受け付けた第１補正値を増減させて第１補正画像データを生成すべくなしており、
前記第２補正手段は、前記撮影画像データ、及び前記第１補正手段が生成した第１補正画像データ夫々に含まれる前記第２補正パラメータが有する値から、前記補正値受付手段が受け付けた第２補正値を増減させて第２補正画像データを生成すべくなしてあることを特徴とする請求項２又は３に記載の画像表示装置。
【請求項５】
前記表示手段は、前記第１補正手段が生成した第１補正画像データが示す画像を、前記撮影画像データが示す画像の上下位置に、
前記第２補正手段が生成した第２補正画像データが示す画像を、前記撮影画像データ及び第１補正画像データ夫々が示す画像の左右位置に、
夫々前記第１補正パラメータについての前記第１補正値の増減、及び前記第２補正パラメータについての前記第２補正値の増減に対応して表示すべくなしてあることを特徴とする請求項２乃至４のいずれかに記載の画像表示装置。
【請求項６】
前記表示手段は、前記第１補正パラメータについての前記第１補正値の増減を上下方向にて示すべく、該第１補正値の増減を表す記号を上下位置に、前記第２補正パラメータについての前記第２補正値の増減を左右方向にて示すべく、該第２補正値の増減を表す記号を左右位置に、夫々表示すべくなしてあることを特徴とする請求項２乃至５のいずれかに記載の画像表示装置。
【請求項７】
前記撮影画像データ，第１補正画像データ及び第２補正画像データを記憶する記憶手段を備え、
前記表示手段は、前記記憶手段から前記撮影画像データを含む所定範囲内の前記第１補正画像データ及び第２補正画像データを読み出し、夫々が示す画像を表示すべくなしてあり、
表示された前記画像から１つの選択画像を受け付ける画像受付手段を備え、
前記表示手段は、該画像受付手段が選択画像を受け付けた場合、前記記憶手段から前記選択画像を示す選択画像データを含む所定範囲内の前記第１補正画像データ及び第２補正画像データを読み出し、夫々が示す画像を表示すべくなしてあることを特徴とする請求項２乃至６のいずれかに記載の画像表示装置。
【請求項８】
前記記憶手段が前記所定範囲内の前記第１補正画像データを記憶していない場合、前記第１補正手段は、該第１補正画像データを生成し、前記記憶手段が前記所定範囲内の前記第２補正画像データを記憶していない場合、前記第２補正手段は、該第２補正画像データを生成すべくなしてあることを特徴とする請求項７に記載の画像表示装置。
【請求項９】
前記表示手段が表示した前記画像から１つの選択画像を受け付ける画像受付手段を備え、該画像受付手段が選択画像を受け付けた場合、
前記第１補正手段は、前記選択画像を示す選択画像データに含まれる第１補正パラメータが有する値から、前記第１補正値を増減させて第１補正画像データを生成し、前記第２補正手段は、前記選択画像データ，及び前記第１補正手段が生成した第１補正画像データ夫々に含まれる第２補正パラメータが有する値から、前記第２補正値を増減させて第２補正画像データを生成すべくなしてあることを特徴とする請求項２乃至６のいずれかに記載の画像表示装置。
【請求項１０】
請求項２乃至９のいずれかに記載の画像表示装置と、該画像表示装置が表示した画像から所定数の画像の決定を受け付ける画像決定手段と、該画像決定手段が受け付けた所定数の画像を印刷する印刷手段とを備えることを特徴とする画像印刷装置。
【請求項１１】
コンピュータに、撮影された撮影画像データを補正すべく受け付けた補正パラメータに基づき、前記撮影画像データを補正し、生成された補正画像データ及び前記撮影画像データ夫々が示す画像を表示させるためのコンピュータプログラムにおいて、
コンピュータに、複数の補正パラメータのうちの第１補正パラメータ及び第２補正パラメータを受け付けるパラメータ受付手段と、前記撮影画像データに含まれる、該パラメータ受付手段が受け付けた第１補正パラメータが有する値から、所定の第１補正値を増減させて複数の第１補正画像データを生成する第１補正手段と、前記撮影画像データ、及び該第１補正手段が生成した第１補正画像データ夫々に含まれる、前記パラメータ受付手段が受け付けた第２補正パラメータが有する値から、所定の第２補正値を増減させて複数の第２補正画像データを生成する第２補正手段と、前記撮影画像データ，前記第１補正手段が生成した第１補正画像データ及び前記第２補正手段が生成した第２補正画像データ夫々が示す画像を表示する表示手段として機能させることを特徴とするコンピュータプログラム。
【請求項１２】
コンピュータに、撮影された撮影画像データを補正すべく受け付けた補正パラメータに基づき、前記撮影画像データを補正し、生成された補正画像データ及び前記撮影画像データ夫々が示す画像を表示させるためのコンピュータプログラムが記録してある記録媒体において、
コンピュータに、複数の補正パラメータのうちの第１補正パラメータ及び第２補正パラメータを受け付けるパラメータ受付手段と、前記撮影画像データに含まれる、該パラメータ受付手段が受け付けた第１補正パラメータが有する値から、所定の第１補正値を増減させて複数の第１補正画像データを生成する第１補正手段と、前記撮影画像データ、及び該第１補正手段が生成した第１補正画像データ夫々に含まれる、前記パラメータ受付手段が受け付けた第２補正パラメータが有する値から、所定の第２補正値を増減させて複数の第２補正画像データを生成する第２補正手段と、前記撮影画像データ，前記第１補正手段が生成した第１補正画像データ及び前記第２補正手段が生成した第２補正画像データ夫々が示す画像を表示する表示手段として機能させるためのコンピュータプログラムが記録してあることを特徴とする記録媒体。
【発明の詳細な説明】
【０００１】
【発明の属する技術分野】
本発明は、撮影された撮影画像データを補正すべく受け付けた補正パラメータに基づき、前記撮影画像データを補正し、生成された補正画像データ及び前記撮影画像データ夫々が示す画像を表示する画像表示方法、該画像表示方法を適用した画像表示装置、画像印刷装置、コンピュータを該画像表示装置として動作させるためのコンピュータプログラム及び該コンピュータプログラムを記録する記録媒体に関するものである。
【０００２】
【従来の技術】
ユーザの画像を撮影し、これを予め用意された背景画像と合成してシール紙等に印刷する画像印刷装置（例えば、プリント倶楽部（登録商標））が知られており、このような画像印刷装置においては、撮影して取得した撮影画像データに対して、ユーザからの指定に基づき明るさを補正し、ユーザの好みの明るさに調整された画像を印刷する装置がある。
しかし、画像は、明るさだけでなく、あざやかさ，色み及びコントラスト等の各要素を有するものであり、明るさに基づく補正のみにてユーザの好みの画像を生成することは困難である。
【０００３】
また、上述の画像印刷装置においては、被写体が人物である場合が多く、被写体であるユーザは、特に自身の顔色の調整を望むことが多く、この顔色に関しては、明度（明るさ）及び彩度（あざやかさ）のバランスが必要であるとされている。
そこで、画像が有する各要素のバランスを調整することを可能とした画像印刷装置があり、このような画像印刷装置にて、ユーザが選択できる画像の種類を増やすことにより、よりユーザの好みに沿った画像を印刷することができる。
【０００４】
一方、このような装置においては、印刷された画像がユーザの期待に沿った色調であり、かつ、色の知識及び色調整の経験が乏しいユーザであっても、容易に所望する色調の画像を選択できることが要求されている。
特開平８−２５１３９３号公報においては、撮影された撮影画像データを、指定された補正法に基づき複数通りの色調整値を用いて補正することにより取得した複数種類の補正画像データを、所定のレイアウトで結合し、これを記録シートに一旦印刷する。また、ユーザが、このように記録シートに印刷された複数の補正画像から、所望する補正画像を選択することにより、ユーザの期待に沿った画像を選択できる画像処理装置が提案されている。
【０００５】
この画像処理装置を用いる場合は、撮影画像データに対して補正処理を施された補正画像データを記録シートに印刷し、この記録シートに印刷された各補正画像から、ユーザが所望する補正画像を選択することにより、最終的にユーザが取得する画像に、より近い画像を選択することができる。
【０００６】
【発明が解決しようとする課題】
しかし、各補正画像データを一旦記録シートに印刷する必要があり、画像を選択するために各補正画像データを印刷するための記録シートが無駄となり、また、遊戯場等に設置されるプリント倶楽部等の遊戯装置においては、ユーザの待ち時間を短縮して、ユーザの利用回転率を向上させるために、各ユーザの操作時間に一定の制限を設けている場合があり、上述したような画像印刷装置をプリント倶楽部等の画像印刷装置に適用することは困難であるという問題があった。
【０００７】
本発明は以上のような事情に鑑みてなされたものであり、ユーザ等から受け付けた第１補正パラメータ及び第２補正パラメータに基づき、第１補正画像データ及び第２補正画像データを生成し、前記撮影画像データと、夫々生成された第１補正画像データ及び第２補正画像データとを表示することにより、ユーザが、補正処理前の撮影画像データと補正処理後の各補正画像データとを容易に比較することができ、所望する画像データの選択処理における負担を軽減する画像表示方法、該画像表示方法を適用した画像表示装置、該画像表示装置を利用した画像印刷装置、コンピュータを前記画像表示装置として動作させるためのコンピュータプログラム及び該コンピュータプログラムを記録した記録媒体を提供することを目的とする。
【０００８】
本発明の他の目的は、第１補正画像データを生成すべく、撮影画像データに含まれる第１補正パラメータが有する値から、第１補正値を所定回数だけ増減させ、また、第２補正画像データを生成すべく、前記撮影画像データ及び第１補正画像データに含まれる第２補正パラメータが有する値から、第２補正値を所定回数だけ増減させることにより、ユーザにて選択されるべく表示される補正画像データのみを生成し、補正処理の負担をより軽減する画像表示装置を提供することにある。
【０００９】
本発明の更に他の目的は、第１補正パラメータに基づく補正処理における第１補正値と、第２補正パラメータに基づく補正処理における第２補正値とを、ユーザ等から受け付け、撮影画像データに含まれる第１補正パラメータが有する値から、受け付けた第１補正値を増減させて第１補正画像データを生成し、前記撮影画像データ及び第１補正画像データに含まれる第２補正パラメータが有する値から、受け付けた第２補正値を増減させて第２補正画像データを生成することにより、各補正パラメータ毎に増減させるべき補正値の調整が可能となり、ユーザの好みにより対応した画像データを生成する画像表示装置を提供することにある。
【００１０】
本発明の更に他の目的は、生成した第１補正画像データが示す画像を、撮影画像データが示す画像の上下位置に、第２補正画像データが示す画像を、前記撮影画像データ及び第１補正画像データ夫々が示す画像の左右位置に、夫々第１補正パラメータにおける第１補正値の増減、及び第２補正パラメータにおける第２補正値の増減に対応して表示することにより、ユーザに、自身にて所望した補正処理による画像データの変化を容易に認識させることができ、自身の好みに適した画像データを容易に選択させる画像表示装置を提供することにある。
【００１１】
本発明の更に他の目的は、第１補正パラメータについての第１補正値の増減を表す記号を上下位置に、該第１補正値の増減を上下方向に示すべく表示し、第２補正パラメータについての第２補正値の増減を表す記号を左右位置に、該第２補正値の増減を左右方向に示すべく表示することにより、ユーザに、自身にて所望した補正処理における処理内容及び該補正処理による画像データの変化を容易に認識させ、自身の好みに適した画像データをより容易に選択させる画像表示装置を提供することにある。
【００１２】
本発明の更に他の目的は、撮影画像データ，第１補正画像データ及び第２補正画像データを記憶手段にて記憶しておき、前記撮影画像データを含む所定範囲内の第１補正画像データ及び第２補正画像データを前記記憶手段から読み出して、夫々が示す画像を表示し、また、表示された画像から１つの選択画像を受け付けた場合、受け付けた選択画像を含む所定範囲内の第１補正画像データ及び第２補正画像データを前記記憶手段から読み出して表示することにより、ユーザが所望する範囲内の補正画像を表示することができ、補正画像データを記憶手段から読み出すことにより表示するため、新たな補正処理を行わないことから、補正処理の負荷を軽減させ、補正画像の表示の更新を高速に行う画像表示装置を提供することにある。
【００１３】
本発明の更に他の目的は、前記記憶手段が前記所定範囲内の第１補正画像データを記憶していない場合、該第１補正画像データを第１補正パラメータに基づき生成し、前記記憶手段が前記所定範囲内の第２補正画像データを記憶していない場合、該第２補正画像データを第１補正パラメータに基づき生成することにより、既に補正処理により生成された補正画像データについては、記憶手段から読み出して表示し、まだ生成されていない補正画像データについてのみを補正処理を行って生成する画像表示装置を提供することにある。
【００１４】
本発明の更に他の目的は、表示された画像から１つの選択画像を受け付けた場合、受け付けた選択画像を示す選択画像データから、第１補正パラメータに基づき第１補正画像データを生成し、また、第２補正パラメータに基づき第２補正画像データを生成することにより、撮影画像データを補正して生成された画像データに、更に補正処理を行うことができ、ユーザの好みにより近い画像データを生成する画像表示装置を提供することにある。
【００１５】
本発明の更に他の目的は、上述した各画像表示装置を用い、該画像表示装置により表示された画像から所定数の画像の決定を受け付け、決定された所定数の画像を印刷することにより、ユーザの好みにより適した画像データを生成できるとともに、ユーザが、表示された各画像間の相異を容易に認識して、表示された画像から容易に所望する画像を選択することができ、ユーザの期待に沿った画像を印刷する画像印刷装置を提供することにある。
【００１６】
【課題を解決するための手段】
第１発明に係る画像表示方法は、撮影された撮影画像データを補正すべく、補正パラメータを受付手段により受け付け、受け付けた補正パラメータに基づき、補正手段により前記撮影画像データを補正し、該補正手段により生成された補正画像データ及び前記撮影画像データ夫々が示す画像を表示手段により表示する画像表示方法において、前記受付手段により複数の補正パラメータのうちの第１補正パラメータ及び第２補正パラメータを受け付け、前記補正手段により、前記撮影画像データに含まれる前記第１補正パラメータが有する値から所定の第１補正値を増減させて複数の第１補正画像データを生成し、前記撮影画像データ、及び生成された第１補正画像データ夫々に含まれる前記第２補正パラメータが有する値から所定の第２補正値を増減させて複数の第２補正画像データを生成し、前記撮影画像データ，第１補正画像データ及び第２補正画像データ夫々が示す画像を、前記表示手段により表示することを特徴とする。
【００１７】
第２発明に係る画像表示装置は、撮影された撮影画像データを補正すべく受け付けた補正パラメータに基づき、前記撮影画像データを補正し、生成された補正画像データ及び前記撮影画像データ夫々が示す画像を表示する画像表示装置において、複数の補正パラメータのうちの第１補正パラメータ及び第２補正パラメータを受け付けるパラメータ受付手段と、前記撮影画像データに含まれる、該パラメータ受付手段が受け付けた第１補正パラメータが有する値から、所定の第１補正値を増減させて複数の第１補正画像データを生成する第１補正手段と、前記撮影画像データ、及び該第１補正手段が生成した第１補正画像データ夫々に含まれる、前記パラメータ受付手段が受け付けた第２補正パラメータが有する値から、所定の第２補正値を増減させて複数の第２補正画像データを生成する第２補正手段と、前記撮影画像データ，前記第１補正手段が生成した第１補正画像データ及び前記第２補正手段が生成した第２補正画像データ夫々が示す画像を表示する表示手段とを備えることを特徴とする。
【００１８】
第３発明に係る画像表示装置は、第２発明に係る画像表示装置において、前記第１補正手段は、前記撮影画像データに含まれる第１補正パラメータが有する値から、前記第１補正値を所定回数だけ増減させて前記第１補正画像データを生成すべくなしており、前記第２補正手段は、前記撮影画像データ，及び該第１補正手段が生成した第１補正画像データ夫々に含まれる第２補正パラメータが有する値から、前記第２補正値を所定回数だけ増減させて前記第２補正画像データを生成すべくなしてあることを特徴とする。
【００１９】
第４発明に係る画像表示装置は、第２又は第３発明に係る画像表示装置において、前記第１補正値及び第２補正値を夫々受け付ける補正値受付手段を備え、前記第１補正手段は、前記撮影画像データに含まれる前記第１補正パラメータが有する値から、前記補正値受付手段が受け付けた第１補正値を増減させて第１補正画像データを生成すべくなしており、前記第２補正手段は、前記撮影画像データ、及び前記第１補正手段が生成した第１補正画像データ夫々に含まれる前記第２補正パラメータが有する値から、前記補正値受付手段が受け付けた第２補正値を増減させて第２補正画像データを生成すべくなしてあることを特徴とする。
【００２０】
第５発明に係る画像表示装置は、第２乃至第４発明のいずれかに係る画像表示装置において、前記表示手段は、前記第１補正手段が生成した第１補正画像データが示す画像を、前記撮影画像データが示す画像の上下位置に、前記第２補正手段が生成した第２補正画像データが示す画像を、前記撮影画像データ及び第１補正画像データ夫々が示す画像の左右位置に、夫々前記第１補正パラメータについての前記第１補正値の増減、及び前記第２補正パラメータについての前記第２補正値の増減に対応して表示すべくなしてあることを特徴とする。
【００２１】
第６発明に係る画像表示装置は、第２乃至第５発明のいずれかに係る画像表示装置において、前記表示手段は、前記第１補正パラメータについての前記第１補正値の増減を上下方向にて示すべく、該第１補正値の増減を表す記号を上下位置に、前記第２補正パラメータについての前記第２補正値の増減を左右方向にて示すべく、該第２補正値の増減を表す記号を左右位置に、夫々表示すべくなしてあることを特徴とする。
【００２２】
第７発明に係る画像表示装置は、第２乃至第６発明に係る画像表示装置において、前記撮影画像データ，第１補正画像データ及び第２補正画像データを記憶する記憶手段を備え、前記表示手段は、前記記憶手段から前記撮影画像データを含む所定範囲内の前記第１補正画像データ及び第２補正画像データを読み出し、夫々が示す画像を表示すべくなしてあり、表示された前記画像から１つの選択画像を受け付ける画像受付手段を備え、前記表示手段は、該画像受付手段が選択画像を受け付けた場合、前記記憶手段から前記選択画像を示す選択画像データを含む所定範囲内の前記第１補正画像データ及び第２補正画像データを読み出し、夫々が示す画像を表示すべくなしてあることを特徴とする。
【００２３】
第８発明に係る画像表示装置は、第７発明に係る画像表示装置において、前記記憶手段が前記所定範囲内の前記第１補正画像データを記憶していない場合、前記第１補正手段は、該第１補正画像データを生成し、前記記憶手段が前記所定範囲内の前記第２補正画像データを記憶していない場合、前記第２補正手段は、該第２補正画像データを生成すべくなしてあることを特徴とする。
【００２４】
第９発明に係る画像表示装置は、第２乃至第６発明に係る画像表示装置において、前記表示手段が表示した前記画像から１つの選択画像を受け付ける画像受付手段を備え、該画像受付手段が選択画像を受け付けた場合、前記第１補正手段は、前記選択画像を示す選択画像データに含まれる第１補正パラメータが有する値から、前記第１補正値を増減させて第１補正画像データを生成し、前記第２補正手段は、前記選択画像データ，及び前記第１補正手段が生成した第１補正画像データ夫々に含まれる第２補正パラメータが有する値から、前記第２補正値を増減させて第２補正画像データを生成すべくなしてあることを特徴とする。
【００２５】
第１０発明に係る画像印刷装置は、第２乃至第９発明のいずれかに係る画像表示装置と、該画像表示装置が表示した画像から所定数の画像の決定を受け付ける画像決定手段と、該画像決定手段が受け付けた所定数の画像を印刷する印刷手段とを備えることを特徴とする。
【００２６】
第１１発明に係るコンピュータプログラムは、コンピュータに、撮影された撮影画像データを補正すべく受け付けた補正パラメータに基づき、前記撮影画像データを補正し、生成された補正画像データ及び前記撮影画像データ夫々が示す画像を表示させるためのコンピュータプログラムにおいて、コンピュータに、複数の補正パラメータのうちの第１補正パラメータ及び第２補正パラメータを受け付けるパラメータ受付手段と、前記撮影画像データに含まれる、該パラメータ受付手段が受け付けた第１補正パラメータが有する値から、所定の第１補正値を増減させて複数の第１補正画像データを生成する第１補正手段と、前記撮影画像データ、及び該第１補正手段が生成した第１補正画像データ夫々に含まれる、前記パラメータ受付手段が受け付けた第２補正パラメータが有する値から、所定の第２補正値を増減させて複数の第２補正画像データを生成する第２補正手段と、前記撮影画像データ，前記第１補正手段が生成した第１補正画像データ及び前記第２補正手段が生成した第２補正画像データ夫々が示す画像を表示する表示手段として機能させることを特徴とする。
【００２７】
第１２発明に係る記録媒体は、コンピュータに、撮影された撮影画像データを補正すべく受け付けた補正パラメータに基づき、前記撮影画像データを補正し、生成された補正画像データ及び前記撮影画像データ夫々が示す画像を表示させるためのコンピュータプログラムが記録してある記録媒体において、コンピュータに、複数の補正パラメータのうちの第１補正パラメータ及び第２補正パラメータを受け付けるパラメータ受付手段と、前記撮影画像データに含まれる、該パラメータ受付手段が受け付けた第１補正パラメータが有する値から、所定の第１補正値を増減させて複数の第１補正画像データを生成する第１補正手段と、前記撮影画像データ、及び該第１補正手段が生成した第１補正画像データ夫々に含まれる、前記パラメータ受付手段が受け付けた第２補正パラメータが有する値から、所定の第２補正値を増減させて複数の第２補正画像データを生成する第２補正手段と、前記撮影画像データ，前記第１補正手段が生成した第１補正画像データ及び前記第２補正手段が生成した第２補正画像データ夫々が示す画像を表示する表示手段として機能させるためのコンピュータプログラムが記録してあることを特徴とする。
【００２８】
第１，第２，第１１及び第１２発明による場合は、撮影して取得した撮影画像データを補正すべく、ユーザ等から、所定の複数の補正パラメータのうちの２つの第１補正パラメータ及び第２補正パラメータを受け付け、撮影画像データから、前記第１補正パラメータに基づき第１補正画像データを生成し、第２補正パラメータに基づき第２補正画像データを生成し、前記撮影画像データと、夫々生成された第１補正画像データ及び第２補正画像データとを表示することにより、ユーザが、補正処理前の撮影画像データと補正処理後の各補正画像データとを容易に比較することができ、所望する画像データの選択処理における負担を軽減することができる。
【００２９】
第３発明による場合は、第１補正画像データを生成すべく、撮影画像データに含まれる第１補正パラメータが有する値から、第１補正値を所定回数だけ増減させ、また、第２補正画像データを生成すべく、前記撮影画像データ及び第１補正画像データに含まれる第２補正パラメータが有する値から、第２補正値を所定回数だけ増減させることにより、ユーザにて選択されるべく表示される補正画像データのみを生成し、補正処理の負担をより軽減することができる。
【００３０】
第４発明による場合は、第１補正パラメータに基づく補正処理における第１補正値と、第２補正パラメータに基づく補正処理における第２補正値とを、ユーザ等から受け付け、撮影画像データに含まれる第１補正パラメータが有する値から、受け付けた第１補正値を増減させて第１補正画像データを生成し、前記撮影画像データ及び第１補正画像データに含まれる第２補正パラメータが有する値から、受け付けた第２補正値を増減させて第２補正画像データを生成することにより、各補正パラメータ毎に増減させるべき補正値の調整が可能となり、ユーザの好みにより対応した画像データを生成することができる。
【００３１】
第５発明による場合は、生成した第１補正画像データが示す画像を、撮影画像データが示す画像の上下位置に、第２補正画像データが示す画像を、前記撮影画像データ及び第１補正画像データ夫々が示す画像の左右位置に、夫々第１補正パラメータにおける第１補正値の増減、及び第２補正パラメータにおける第２補正値の増減に対応して表示することにより、ユーザが、自身にて所望した補正処理による画像データの変化を容易に認識することができ、自身の好みに適した画像データを容易に選択することができる。
【００３２】
第６発明による場合は、第１補正パラメータについての第１補正値の増減を表す記号を上下位置に、該第１補正値の増減を上下方向に示すべく表示し、第２補正パラメータについての第２補正値の増減を表す記号を左右位置に、該第２補正値の増減を左右方向に示すべく表示することにより、ユーザが、自身にて所望した補正処理における処理内容及び該補正処理による画像データの変化を容易に認識することができ、自身の好みに適した画像データをより容易に選択することができる。
【００３３】
第７発明による場合は、撮影画像データ，第１補正画像データ及び第２補正画像データを記憶手段にて記憶しておき、前記撮影画像データを含む所定範囲内の第１補正画像データ及び第２補正画像データを前記記憶手段から読み出して、夫々が示す画像を表示し、また、表示された画像から１つの選択画像を受け付けた場合、受け付けた選択画像を含む所定範囲内の第１補正画像データ及び第２補正画像データを前記記憶手段から読み出して表示することにより、ユーザが所望する範囲内の補正画像を表示することができ、補正画像データを記憶手段から読み出すことにより表示するため、新たに補正処理を行わないことから、補正処理の負荷を軽減させ、補正画像の表示の更新の高速化を図ることができる。
【００３４】
第８発明による場合は、前記記憶手段が前記所定範囲内の第１補正画像データを記憶していない場合、該第１補正画像データを第１補正パラメータに基づき生成し、前記記憶手段が前記所定範囲内の第２補正画像データを記憶していない場合、該第２補正画像データを第１補正パラメータに基づき生成することにより、既に補正処理により生成された補正画像データについては、記憶手段から読み出して表示し、まだ生成されていない補正画像データについてのみを補正処理を行って生成する。これにより、同一内容の補正処理の重複を排除し、補正処理による負荷を軽減させるとともに、処理の高速化を図ることができる。
【００３５】
第９発明による場合は、表示された画像から１つの選択画像を受け付けた場合、受け付けた選択画像を示す選択画像データから、第１補正パラメータに基づき第１補正画像データを生成し、また、第２補正パラメータに基づき第２補正画像データを生成することにより、撮影画像データを補正して生成された画像データに、更に補正処理を行うことができ、ユーザの好みにより近い画像データを生成することができ、生成された画像に対するユーザの満足度を向上させることができる。
【００３６】
第１０発明による場合は、上述した各画像表示装置を用い、該画像表示装置により表示された画像から所定数の画像の決定を受け付け、決定された所定数の画像を印刷することにより、ユーザの好みにより適した画像データを生成できるとともに、ユーザが、表示された各画像間の相異を容易に認識して、表示された画像から容易に所望する画像を選択することができ、ユーザの期待に沿った画像を印刷することができる。
【００３７】
【発明の実施の形態】
以下に、本発明に係る画像印刷装置をその実施の形態を示す図面に基づいて詳述する。図１は本発明に係る画像印刷装置の外観斜視図であり、図において１は本発明の画像印刷装置を示している。
この画像印刷装置１は、該画像印刷装置１の各処理を制御する制御機構を収納した筺体１００の前面に、スピーカ１９、撮影装置１８，操作ディスプレイ１３，操作ボタン１３５、操作ディスプレイ１３に表示された各指示に従って所定の選択ボタン等の選択を入力するタブレットペン１３２、コイン投入口１４１等が設けられている。
【００３８】
筺体１００の前面両端部には、ランプ及びストロボを内蔵する照明部１９１が周設されており、撮影装置１８に同期して前面に立つユーザを照射する。また、筐体１００には、側面に、印刷されたシールを排出するシール取り出し口１６１が設けられており、図示しない適宜位置に、筺体１００内部の熱を外部へ放出するファンが設けられている。尚、ファンは、筺体１００内において、発熱源となる機器の近傍に設けることにより効果的に熱を放出することができる。
画像印刷装置１はその他、撮影装置１８に対向する位置に後部照明、カーテン、背景幕（図示せず）等を備えている。
【００３９】
画像印刷装置１の前面に垂設されたスピーカ１９は、ユーザに対して、硬貨を投入してからの撮影手順の進行を案内するガイダンス、及びユーザが操作ディスプレイ１３に表示されている自分自身の撮影画像に対して、各種の編集処理を行う際のガイダンス等の音声情報を出力する。
撮影装置１８を挟んで両側に立設される照明部１９１は、撮影の際のフラッシュとして機能するとともに、画像印刷装置１およびユーザを囲む背景幕（図示せず）により外光が遮断されているため、撮影前の状態においてもユーザを照明する。
【００４０】
画像印刷装置１の前面略中央部には、レール１８４に従い上下動する撮影装置１８が持設されており、撮影装置１８の前面側の開口部には、画像を取り込み、ユーザの指示により撮影するＣＣＤ（Ｃｈａｒｇｅ　Ｃｏｕｐｌｅｄ　Ｄｅｖｉｃｅ）カメラ１８１のレンズ、及び、ＣＣＤカメラ１８１により取り込まれている画像及び撮影された画像を表示する液晶ディスプレイ等の取り込み画像表示部１８２が露出した状態で配設されている。
また、撮影装置１８及びレール１８４は図示しない回動ギアによりそれぞれが結合されており、撮影装置１８の外縁部分の適宜の２箇所に取り付けられた握り部１８３を利用して、ユーザは、容易に撮影装置１８をレール１８４上で上下動させ、更にユーザに対して回動させることができる。尚、ユーザによる操作ボタン１３５の操作により、撮影装置１８を上下動及び回動させる構成とすることもできる。
【００４１】
操作ディスプレイ１３は、撮影装置１８の下部に、表示画面を画像印刷装置１の前方斜め方向に向けた状態で、内設されており、液晶ディスプレイまたはＣＲＴ（Ｃａｔｈｏｄｅ−Ｒａｙ　Ｔｕｂｅ）等より構成されるモニタと、その上部に積層されるタッチパネルから構成される。
操作ディスプレイ１３の近傍には、タブレットペン１３２が設けてあり、操作ディスプレイ１３に表示された各操作における種々の選択ボタン等の選択を入力することができる。尚、各操作における種々の選択ボタンの入力は、操作ボタン１３５により行う構成としてもよい。
【００４２】
画像印刷装置１の前面下方のほぼ垂直な面には、コイン投入口１４１が設けられており、ユーザが所定の代金を硬貨投入口１４１に投入すると、撮影処理が開始される。画像印刷装置１の側面下部には、シール取出口１６１が設けられており、撮影され、補正処理された撮影画像が、所定数に分割されたシールに印刷されて排出される。
【００４３】
図２は本発明に係る画像印刷装置１のハードウェア構成を示すブロック図であり、この画像印刷装置１は、バス１７を介して演算処理手段（以下、ＣＰＵ（Ｃｅｎｔｒａｌ　Ｐｒｏｃｅｓｓｉｎｇ　Ｕｎｉｔ）という）１１、撮影装置１８、記憶部１５、入力手段（以下、操作ディスプレイ１３という）、操作ボタン１３５、スピーカ１９、照明部１９１、印刷部１６、硬貨処理部１４、ＲＡＭ（Ｒａｎｄｏｍ　Ａｃｃｅｓｓ　Ｍｅｍｏｒｙ）１２、時計部１９２、ドライブ２０等が接続されている。
ＣＰＵ１１は、バス１７を介して画像印刷装置１の上述したようなハードウェア各部と接続されていて、それらを制御すると共に、ハードディスク等の記憶部１５に格納された制御プログラム１５Ｐに従って、種々のソフトウェア的機能を実行する。
【００４４】
本実施の形態においては、画像印刷装置１は撮影装置１８、操作ディスプレイ１３、及び印刷部１６等を一の筐体１００内に格納しているがこれに限らず、例えば撮影装置１８のみを隔離して設けるようにしても良い。
例えば、撮影装置１８及び照明部１９１等の撮影機能を果たすユニットと、操作ディスプレイ１３及び印刷部１６等の画像編集機能を果たすユニットとを、遊戯施設内のサーバコンピュータ（図示せず）を介してネットワークで接続することにより、同様の機能を実現するようにしても良い。この場合、撮影装置１８を含むユニットにおいてユーザが撮影を行い、ＩＤが付された磁気カードの発行を受ける。画像データ及びＩＤは対応づけられてサーバコンピュータに記憶される。ユーザが画像編集及び印刷を行う場合は、磁気カードを、操作ディスプレイ１３を含むユニットへ挿入し、ＩＤを元にサーバコンピュータから画像データを読み出して画像の編集を行い、シール等に印刷するようにすればよい。
【００４５】
ＲＡＭ１２は、ＳＲＡＭ（Ｓｔａｔｉｃ　Ｒａｎｄｏｍ　Ａｃｃｅｓｓ　Ｍｅｍｏｒｙ）またはフラッシュメモリ等で構成され、ソフトウェアの実行時に発生する一時的なデータを記憶する。尚、ＲＡＭ１２にフラッシュメモリを使用した場合には、停電，画像印刷装置１の移動等のために電源が遮断された場合であっても記憶内容が失われることはない。
撮影装置１８はＣＣＤカメラ１８１、及び取り込み画像表示部１８２等により構成されており、ユーザの操作ボタン１３５の操作指示により、ＣＰＵ１１はＣＣＤカメラ１８１に対して画像の撮影を指示する撮影信号を出力する。撮影信号を取得したＣＣＤカメラ１８１において、ＣＣＤに蓄積された電荷は電気信号として図示しないＡ／Ｄ変換器に出力され、Ａ／Ｄ変換器によりデジタル信号に変換された画像データはＲＧＢ各成分のデータとして記憶部１５に格納され、また液晶ディスプレイ等の取り込み画像表示部１８２及び操作ディスプレイ１３のモニタ１３３へ出力される。
【００４６】
操作ディスプレイ１３はモニタ１３３，タッチパネル１３１，タブレットペン１３２及び表示プロセッサ１３４から構成されている。
表示プロセッサ１３４は、ＣＰＵ１１からの指示に基づいて撮影手順の案内画面をモニタ１３３に表示させる。また表示プロセッサ１３４は、内部にＣＣＤカメラ１８１により取り込まれた画像データを記憶するためのフレームバッファを有しており、撮影画像も同様にモニタ１３３に表示させる。フレームバッファは、デュアルポートメモリにより構成されており、１枚分の画像データを記憶できる第１の領域と、９枚分の画像データを記憶できる第２の領域とを備えている。
【００４７】
フレームバッファの第１の領域には、ＣＣＤカメラ１８１からの取り込み画像データが入力され、撮影後は、撮影された撮影画像データが記憶される。
一方、第２の領域は、ＣＰＵ１１の制御により明るさ調整，色相調整等を施された補正画像データを記憶する記憶領域であり、９枚の画像データが夫々モニタ１３３に表示されるべき位置に対応して記憶してある。尚、撮影が終了した時点では、第１の領域と同一の撮影画像データが、モニタ１３３において中央位置に表示され、該撮影画像データに対して補正処理を行うことにより生成された各補正画像データは、該撮影画像の周囲に表示されるべく、第２の領域内の所定位置に夫々書き込まれる。
【００４８】
モニタ１３３上には、透明なタッチパネル１３１が積層されており、モニタ１３３には、表示プロセッサ１３４のフレームバッファの、第２の領域に記憶されたデータが表示される。従って、ユーザが、撮影画像データに対して補正処理を要求した場合、該補正処理により生成され、フレームバッファの第２の領域に記憶された補正画像データが、モニタ１３３に表示される。タッチパネル１３１は、タブレットペン１３２からの入力を検出する。
撮影画像データに対する補正処理の要求が入力された場合、タッチパネル１３１はその入力を受け付け、受け付けた補正処理における補正パラメータを表示プロセッサ１３４へ出力し、表示プロセッサ１３４は入力された補正パラメータにおける補正処理の要求があったことをＣＰＵ１１に報知する。
【００４９】
記憶部１５には、音声のガイダンスデータが記録されており、スピーカ１９は、ＣＰＵ１１の指示に基づいて記憶部１５に記録されているガイダンスデータを読み出してスピーカ１９に出力する。スピーカ１９がユーザに対して出力するガイダンスには、操作方法や、撮影直前のカウントダウンなどがある。
硬貨処理部１４は、コイン投入口１４１から投入された硬貨の金額を検出し、所定の代金が投入されたと検出した場合、検出信号をＣＰＵ１１へ出力する。
【００５０】
印刷部１６は、シール紙に画像データを印刷して画像シールを作成する印刷手段であり、ＣＣＤカメラ１８１により撮影され、ユーザからの指定により明るさ調整等の補正処理が施された後の画像をシール紙などに印刷し、印刷された画像シールはシール取り出し口１６１から排出される。
照明部１９１は蛍光灯等のランプ１９１ｂ及びストロボ１９１ａにより構成されている。ランプ１９１ｂは画像印刷編集装置１の前面両側端にそれぞれ設けられており、プラスチック製の照明カバーを透過してユーザを照射する。このランプは撮影時のみならず撮影前、編集時においても点灯しており、その点灯／消灯は記憶部１５に記憶された制御プログラム１５Ｐに従いＣＰＵ１１が制御する。
【００５１】
また、ストロボ１９１ａも同様に画像印刷装置１の前面両側端にそれぞれ設けられており、ＣＣＤカメラ１８１の画像取り込みに同期してユーザを照射するよう設定されている。
ＣＰＵ１１は、ユーザによる操作ボタン１３５の操作等により画像の撮影が指示された場合、ＣＣＤカメラ１８１に画像の撮影を指示する撮影信号を与え、ＣＣＤカメラ１８１は、ストロボ１９１ａに対し同期信号を送信する。これにより、ストロボ１９１ａの発光に同期してＣＣＤカメラ１８１が撮影画像データを取得することができる。尚、ユーザの背後に設けられる図示しない後部ストロボについても同様の制御がなされる。
時計部１９２は時間データをＣＰＵ１１へ出力する。
【００５２】
ドライブ２０は、ＣＤ−ＲＯＭドライブ又はフレキシブルディスクドライブ等で構成されており、ＣＤ−ＲＯＭ又はフレキシブルディスク等の記録媒体に記録されている記録情報を読み出し、ＲＡＭ１２に記憶させる。
尚、画像印刷装置１として動作させるためのコンピュータプログラムを記録した記録媒体から、該コンピュータプログラムをドライブ２０を介して読み出し、ＲＡＭ１２に記憶させ、順次実行することにより、本実施の形態に係る画像印刷装置１を実現することもできる。また、前記コンピュータプログラムは、回線経由で搬送波として伝搬させて提供することも可能である。
【００５３】
以下に、上述したハードウェア構成を備える画像印刷装置１において、撮影して取得した撮影画像データの印刷処理についてフローチャートを用いて説明する。図３及び図４は本発明に係る画像印刷装置１による印刷処理手順を示すフローチャートである。
画像印刷装置１において、ＣＰＵ１１は硬貨処理部１４により、所定料金が投入されたか否かを判断しており（Ｓ１）、所定料金が投入されたと判断した場合、記憶部１５から撮影手順を示す操作画面を読み出してモニタ１３３に表示する（Ｓ２）。
【００５４】
図５（ａ）はモニタ１３３に表示される操作画面の一例を示す図であり、この一例は、ＣＣＤカメラ１８１及び取り込み画像表示部１８２を備えた撮影装置１８の移動方法，回動方法及び撮影開始を指示する撮影ボタン等を表示している。また、その他に、撮影時におけるモード設定、例えば、標準撮影，アップ撮影又は全身撮影等を設定するための選択ボタン等を表示する構成としてもよい。
一方、ＣＰＵ１１は、撮影装置１８において、ＣＣＤカメラ１８１により順次取り込まれている画像を、取り込み画像表示部１８２に表示させており、ユーザは、この取り込み画像表示部１８２の表示により撮影画像を確認し、自身の撮影ポーズを決定等することができ、所望の位置に撮影装置１８を配置した場合、操作ディスプレイ１３上の撮影ボタンをタブレットペン１３２により操作し、又は操作ボタン１３５に含まれる撮影ボタン（図示せず）を操作することにより、撮影処理を実行する。
【００５５】
画像印刷装置１において、ＣＰＵ１１は、撮影ボタンが操作されたか否かを監視しており（Ｓ３）、ユーザにより撮影ボタンが操作された場合は、ＣＣＤカメラ１８１に画像の撮影を指示する撮影信号を出力し、ＣＣＤカメラ１８１は、照明部１９１のストロボ１９１ａに同期信号を送信する。
これにより、ＣＣＤカメラ１８１は、ストロボ１９１ａの発光のタイミングに同期して撮影し、取得した撮影画像データを表示プロセッサ１３４のフレームバッファの、第１の領域及び第２の領域に記憶する（Ｓ４）。
【００５６】
尚、撮影画像データの撮影処理は、撮影ボタンの操作により開始してもよく、撮影ボタンの操作を基準とし、時間の経過とともに「３，２，１」等を操作ディスプレイ１３に表示するとともにスピーカ１９によるアナウンスによりカウントダウンをして、ユーザに撮影のタイミングを報知した後、開始する構成としてもよい。
【００５７】
ＣＰＵ１１はフレームバッファから撮影画像データを読み出し、該撮影画像データに所定の補正処理を行うべく、該補正処理における補正パラメータ等の補正情報を入力するための補正情報入力画面を記憶部１５から読み出し、前記撮影画像データを含んだ前記補正情報入力画面をモニタ１３３に表示する（Ｓ５）。
図５（ｂ）はモニタ１３３に表示される補正情報入力画面の一例を示す図であり、この補正情報入力画面は、撮影画像データ４０，該撮影画像データ４０を補正すべき編集情報の選択肢として明るさボタン５２，あざやかさボタン５３，色みボタン５４及びコントラストボタン５５を表示している。また、この補正情報入力画面は、時計部１９２から出力される時間情報に基づくカウントダウンタイマ５１、撮影画像を取り直すためのとりなおすボタン５６，補正情報の選択の完了を示すＯＫボタン５７、補正処理を行わず撮影画像データ４０の印刷を指示する印刷ボタン５８等を表示している。
【００５８】
本実施の形態では、補正情報として明るさを選択した場合、補正対象の画像データにおける明度情報を変化させ、あざやかさを選択した場合、前記画像データにおける彩度情報を変化させ、色味を選択した場合、前記画像データにおける色相を変化させ、コントラストを選択した場合、前記画像データにおける濃淡の度合を変化させるための各処理が行われる。また、補正情報としては、レベル補正の調整，カラーバランスの変更，トーンカーブの変更，エッジ強調等であってもよく、これらにより補正した場合、より精度の良い補正処理を実現することができる。
尚、図５（ｂ）においては、ユーザが、４つの補正情報から明るさ及び色みを選択した状態を示しており、補正情報を決定したユーザは、ＯＫボタン５７を操作する。
【００５９】
ＣＰＵ１１は、ユーザにより２つの補正情報が選択され、ＯＫボタン５７を操作されたか否かを監視しており（Ｓ６）、ＯＫボタン５７が操作された場合、ＣＰＵ１１は、ＲＡＭ１２に読み出してある、前記２つの補正情報夫々に対応する補正処理プログラムを順次実行することにより、撮影画像データ４０を補正する（Ｓ７）。
具体的には、ＣＰＵ１１は、表示プロセッサ１３４のフレームバッファの第２の領域に記憶してある撮影画像データ４０をＲＡＭ１２に読み出し、この撮影画像データ４０に対して、ユーザにより選択された第１補正情報である色み情報について、該色み情報が有する値から所定値を増減させることにより、２つの第１補正画像データを生成し、一旦ＲＡＭ１２に記憶させる。尚、色み情報は、赤，黄，緑，青，紫の順に大きな値をとるものとする。
【００６０】
またＣＰＵ１１は、撮影画像データ４０及び上述のように生成された２つの第１補正画像データ夫々に対して、ユーザにより選択された第２補正情報である明るさ情報について、該明るさ情報が有する値から所定値を増減させることにより、６つの第２補正画像データを生成し、一旦ＲＡＭ１２に記憶させる。尚、明るさ情報は画像データにおける明度情報を示しており、大きな値をとる程、画像データは明るくなるものとする。
次にＣＰＵ１１は、上述のように生成した第１補正画像データ及び第２補正画像データを表示プロセッサ１３４のフレームバッファの第２の領域に記憶させる。尚、この第２の領域に記憶された各画像データの位置が、そのままモニタ１３３の表示位置となるため、２つの第１補正画像データは夫々、色み情報についての増減に対応して、モニタ１３３上に撮影画像データ４０の下位置及び上位置に表示させるべく、また、６つの第２補正画像データは夫々、明るさ情報についての増減に対応して、補正前の各画像データの右位置及び左位置に表示させるべく、表示プロセッサ１３４のフレームバッファの第２の領域に記憶させる。
【００６１】
表示プロセッサ１３４は、上述のように生成され、フレームバッファの第２の領域に夫々記憶してある各画像データを、撮影画像データ４０を基準とした所定位置に配置した補正画面を表示する（Ｓ８）。
図６はモニタ１３３に表示される補正画面の一例を示す図であり、フレームバッファの第２の領域から読み出した９つの画像データは、この補正画面の中央部分の画像データ群４０ａとして表示される。尚、上述したようにフレームバッファの第２の領域から読み出した各画像データは、画像データ群４０ａにおいて、撮影画像データ４０を中央位置とし、第１補正情報である色み情報に基づき生成された第１補正画像データ４１，４２を、撮影画像データ４０の上下位置に表示し、第２補正情報である明るさ情報に基づき生成された第２補正画像データ４３，４４，４５，４６，４７，４８を、夫々補正処理前の各画像データに対応した左右位置に表示してある。
【００６２】
また、図６に示す補正画面は、画像データ群４０ａの左位置及び上位置に、ユーザにより選択されうる補正情報を表示した補正情報選択ボタン群３１，３２を表示している。この補正情報選択ボタン群３１，３２には、本実施の形態における補正情報の選択肢としての明るさボタン３１ａ，３２ａ、あざやかさボタン３１ｂ，３２ｂ、色みボタン３１ｃ，３２ｃ、コントラストボタン３１ｄ，３２ｄを夫々並べて表示してあり、これらの各ボタンを選択することにより、２回目以降の補正処理における補正情報を決定することができる。
尚、補正情報を示す各ボタンにおいて、ユーザにより選択されているものは反転させることにより、当該ボタンが選択されていることを示しており、補正情報選択ボタン群３１においては、色み情報が、補正情報選択ボタン群３２においては、明るさ情報が選択されていることを示している。
【００６３】
また、補正情報選択ボタン群３１には、ユーザにより選択された色み情報における増減を示す色みバー３１ｅを、補正情報選択ボタン群３２においては、ユーザにより選択された明るさ情報における増減を示す明るさバー３２ｅを、画像データ群４０ａにおける各画像データにおける色み情報又は明るさ情報の増減に対応させて表示してあり、これにより、モニタ１３３に表示された９つの画像データにおいて、夫々の画像データ間における補正処理の相異を容易に認識することができる。
【００６４】
尚、あざやかさ情報は画像データにおける彩度情報を示しており、大きな値に変更する程、あざやかな画像データを生成するものとし、コントラスト情報は、大きな値に変更する程、濃淡の差が大きな画像データを生成するものとする。
更に、補正画面は、左側上部に、時計部１９２から出力される時間情報に基づくカウントダウンタイマ３８を表示しており、右側上部に、ＣＣＤカメラ１８１が取り込んだ最初の撮影画像データ４０を表示している。この撮影画像データ４０の下部には、補正処理を行うべき補正情報に対応する各補正値を入力する補正値入力群３３を表示しており、画像データ群４０ａに表示される各画像データ間における補正情報の相異値（補正値）をユーザにより入力することができる。尚、本実施の形態では、補正値は５段階で表示されており、ユーザは、表示された画像データ群４０ａの各画像データを確認しながら、補正値を決定することができる。
【００６５】
補正画面は、下位置に、印刷ボタン３５，さいしょからボタン３６，とりなおすボタン３７等を表示しており、印刷ボタン３５を操作した場合は、画像データ群４０ａの画像データにおいてユーザにより選択されている画像データ（図においては画像データ４０）を所定のレイアウトにてシール紙に印刷する。
また、さいしょからボタン３６を操作した場合は、ＣＣＤカメラ１８１が取り込んだ最初の撮影画像データ４０に戻す処理を行う。具体的にはフレームバッファの第１の領域に記憶した画像データを読み出して表示する。
更に、とりなおすボタン３７を操作した場合は、ＣＣＤカメラ１８１による撮影処理を再度実行する。
【００６６】
一方、画像データ群４０ａにおける各画像データは、選択を受け付けることができ、ＣＰＵ１１は、ユーザにより１つの選択画像データを受け付けたか否かを監視しており（Ｓ９）、１つの選択画像データを受け付けた場合、該選択画像データを中央位置とし、この選択画像データに基づく８つの補正画像データを、モニタ１３３に表示された補正画面における画像データ群に表示する（Ｓ１０）。具体的には、例えば、ユーザが、図６における画像データ群４０ａから画像データ４６を選択画像データとして選択した場合、ＣＰＵ１１は、選択画像データ４６及び該選択画像データ４６に対して８近傍の位置の画像データを、フレームバッファの第２の領域から読み出してＲＡＭ１２に記憶する。
【００６７】
図７はモニタ１３３に表示される画像データ群を説明するための図であり、破線で囲まれた画像データ群４０ａは、図６における画像データ群４０ａを示しており、ここでは、ＣＰＵ１１は、選択画像データ４６の８近傍の位置の画像データにおいて、既に存在する画像データ４０，４１，４６，４７をフレームバッファの第２の領域から読み出してＲＡＭ１２に記憶する。
次にＣＰＵ１１は、ＲＡＭ１２に記憶してある選択画像データ４６に対して、ユーザにより選択された第１補正情報である色み情報について所定値を減算することにより、選択画像データ４６の上位置に表示するべき第１補正画像データ６１を生成し、また、選択画像データ４６及び第１補正画像データ４７，６１夫々に対して、第２補正情報である明るさ情報について所定値を増減させることにより、夫々対応する位置に表示すべき第２補正画像データ６２，６３，６４，６５を生成してＲＡＭ１２に記憶させる。
【００６８】
ＣＰＵ１１は、上述のように生成した第１補正画像データ及び第２補正画像データを表示プロセッサ１３４のフレームバッファの第２の領域に、選択画像データ４６を中央位置としてモニタ１３３に表示すべき位置に夫々記憶させ、これにより、表示プロセッサ１３４は、選択画像データ４６を基準とした所定位置に配置した補正画面を表示することができる。
【００６９】
尚、本発明における補正処理によっては、図７に示すように、ＣＣＤカメラ１８１により撮影された撮影画像データ４０を基準として、ユーザにより選択された補正パラメータ（この場合、色み情報及び明るさ情報）に基づき、膨大な数の補正画像データを生成することが可能であるが、本実施の形態では、それらの補正画像データのうち、補正処理の基準とした撮影画像データ及び選択画像データの８近傍の補正画像データのみを生成し、フレームバッファに記憶させるとともに、モニタ１３に表示させることとしている。
従って、選択画像データ４６を選択し、該選択画像データ４６を基準として補正処理を行った場合、図中に一点鎖線で示す画像データ群４６ａにおける補正画像データが、モニタ１３３に表示されることになる。
【００７０】
また、ＣＰＵ１１は、補正画面において、ユーザにより印刷ボタン３５が操作されるか否かを監視しており（Ｓ１１）、印刷ボタン３５が操作された場合、タッチパネル１３１により選択されている選択画像データを、バッファメモリの第２の領域から読み出して印刷部１６に出力し、印刷部１６により前記選択画像データをシールに印刷し（Ｓ１２）、印刷後のシールはシール排出口１６１から排出される。
【００７１】
上述したように、ユーザにより画像データが選択された場合、当該選択画像データに対して各種の補正処理を行うことにより、順次対応する補正画像データを生成することができ、図７に示すように、仮想的に無限の補正画像データを生成することができ、各ユーザの好みにより適した補正画像データを生成することができる。
【００７２】
本実施の形態では、選択画像データを基準として、８近傍の位置に表示すべき補正画像データのみを補正処理により生成する構成を説明しているが、予め所定数の補正画像データを生成して記憶しておき、選択画像データを受け付けた場合に、該選択画像データの８近傍の位置の補正画像データを読み出して表示する構成としてもよい。また、選択画像データを受け付けた場合に、該選択画像データに基づき、改めて各補正パラメータに基づく補正処理を行い、第１補正画像データ及び第２補正画像データを生成する構成としてもよい。
また、本実施の形態におけるモニタ１３３では、補正画像データを、３×３の形態にて９枚表示しているが、これに限られず、５×５により２５枚の補正画像データを表示する構成であってもよい。
またさらに、本実施の形態では、撮影画像データおよび補正画像データを表示プロセッサ１３４内のフレームバッファに記憶する構成で説明しているが、これらの画像データは記憶部１５に記憶させてもよい。
【００７３】
【発明の効果】
第１，第２，第１１及び第１２発明による場合は、撮影して取得した撮影画像データを補正すべく、ユーザ等から、所定の複数の補正パラメータのうちの２つの第１補正パラメータ及び第２補正パラメータを受け付け、撮影画像データから、前記第１補正パラメータに基づき第１補正画像データを生成し、第２補正パラメータに基づき第２補正画像データを生成し、前記撮影画像データと、夫々生成された第１補正画像データ及び第２補正画像データとを表示することにより、ユーザが、補正処理前の撮影画像データと補正処理後の各補正画像データとを容易に比較することができ、所望する画像データの選択処理における負担を軽減することができる。
【００７４】
第３発明による場合は、第１補正画像データを生成すべく、撮影画像データに含まれる第１補正パラメータが有する値から、第１補正値を所定回数だけ増減させ、また、第２補正画像データを生成すべく、前記撮影画像データ及び第１補正画像データに含まれる第２補正パラメータが有する値から、第２補正値を所定回数だけ増減させることにより、ユーザにて選択されるべく表示される補正画像データのみを生成し、補正処理の負担をより軽減することができる。
【００７５】
第４発明による場合は、第１補正パラメータに基づく補正処理における第１補正値と、第２補正パラメータに基づく補正処理における第２補正値とを、ユーザ等から受け付け、撮影画像データに含まれる第１補正パラメータが有する値から、受け付けた第１補正値を増減させて第１補正画像データを生成し、前記撮影画像データ及び第１補正画像データに含まれる第２補正パラメータが有する値から、受け付けた第２補正値を増減させて第２補正画像データを生成することにより、各補正パラメータ毎に増減させるべき補正値の調整が可能となり、ユーザの好みにより対応した画像データを生成することができる。
【００７６】
第５発明による場合は、生成した第１補正画像データが示す画像を、撮影画像データが示す画像の上下位置に、第２補正画像データが示す画像を、前記撮影画像データ及び第１補正画像データ夫々が示す画像の左右位置に、夫々第１補正パラメータにおける第１補正値の増減、及び第２補正パラメータにおける第２補正値の増減に対応して表示することにより、ユーザが、自身にて所望した補正処理による画像データの変化を容易に認識することができ、自身の好みに適した画像データを容易に選択することができる。
【００７７】
第６発明による場合は、第１補正パラメータについての第１補正値の増減を表す記号を上下位置に、該第１補正値の増減を上下方向に示すべく表示し、第２補正パラメータについての第２補正値の増減を表す記号を左右位置に、該第２補正値の増減を左右方向に示すべく表示することにより、ユーザが、自身にて所望した補正処理における処理内容及び該補正処理による画像データの変化を容易に認識することができ、自身の好みに適した画像データをより容易に選択することができる。
【００７８】
第７発明による場合は、撮影画像データ，第１補正画像データ及び第２補正画像データを記憶手段にて記憶しておき、前記撮影画像データを含む所定範囲内の第１補正画像データ及び第２補正画像データを前記記憶手段から読み出して、夫々が示す画像を表示し、また、表示された画像から１つの選択画像を受け付けた場合、受け付けた選択画像を含む所定範囲内の第１補正画像データ及び第２補正画像データを前記記憶手段から読み出して表示することにより、ユーザが所望する範囲内の補正画像を表示することができ、補正画像データを記憶手段から読み出すことにより表示するため、新たに補正処理を行わないことから、補正処理の負荷を軽減させ、補正画像の表示の更新の高速化を図ることができる。
【００７９】
第８発明による場合は、前記記憶手段が前記所定範囲内の第１補正画像データを記憶していない場合、該第１補正画像データを第１補正パラメータに基づき生成し、前記記憶手段が前記所定範囲内の第２補正画像データを記憶していない場合、該第２補正画像データを第１補正パラメータに基づき生成することにより、既に補正処理により生成された補正画像データについては、記憶手段から読み出して表示し、まだ生成されていない補正画像データについてのみを補正処理を行って生成する。これにより、同一内容の補正処理の重複を排除し、補正処理による負荷を軽減させるとともに、処理の高速化を図ることができる。
【００８０】
第９発明による場合は、表示された画像から１つの選択画像を受け付けた場合、受け付けた選択画像を示す選択画像データから、第１補正パラメータに基づき第１補正画像データを生成し、また、第２補正パラメータに基づき第２補正画像データを生成することにより、撮影画像データを補正して生成された画像データに、更に補正処理を行うことができ、ユーザの好みにより近い画像データを生成することができ、生成された画像に対するユーザの満足度を向上させることができる。
【００８１】
第１０発明による場合は、上述した各画像表示装置を用い、該画像表示装置により表示された画像から所定数の画像の決定を受け付け、決定された所定数の画像を印刷することにより、ユーザの好みにより適した画像データを生成できるとともに、ユーザが、表示された各画像間の相異を容易に認識して、表示された画像から容易に所望する画像を選択することができ、ユーザの期待に沿った画像を印刷することができる。
【図面の簡単な説明】
【図１】本発明に係る画像印刷装置の外観斜視図である。
【図２】本発明に係る画像印刷装置のハードウェア構成を示すブロック図である。
【図３】本発明に係る画像印刷装置による印刷処理手順を示すフローチャートである。
【図４】本発明に係る画像印刷装置による印刷処理手順を示すフローチャートである。
【図５】モニタに表示される画面の一例を示す図である。
【図６】モニタに表示される補正画面の一例を示す図である。
【図７】モニタに表示される画像データ群を説明するための図である。
【符号の説明】
１　画像印刷装置
１３　操作ディスプレイ
１３３　モニタ
３１，３２　補正情報選択ボタン群
３３　補正値入力群
４０ａ　画像データ群
【図１】
2004080549.tif 000003
【図２】
2004080549.tif 000004
【図３】
2004080549.tif 000005
【図４】
2004080549.tif 000006
【図５】
2004080549.tif 000007
【図６】
2004080549.tif 000008
【図７】
2004080549.tif 000009